(57)【要約】【課題】装着した容器Ｂ内の収納物とは別に収納物を分離した状態で保管でき、簡単な操作により使用時に両者を混合できるキャップであって、二収納物の混合が確実に行えるとともに、混合物の攪拌を容器外への漏れがなく行えるキャップを提案する。【解決手段】容器の口部４内に収納筒部７を垂下させた蓋部材２と、収納筒部７下端に嵌合した底蓋13を、容器口部に嵌着した支持筒部14の下端部に、ヒンジ15を介して開閉可能に連結した底蓋部材３とを備え、底蓋部材に対する蓋部材の螺動上昇幅を記載する上昇規制手段を設け、上昇規制手段で規制する蓋部材の最上昇時に底蓋の嵌合が外れて収納室Ｒが開口する如く構成した。【選択図】図１
2006151449.tif 000002
【特許請求の範囲】
【請求項１】
容器Ｂの口部４外周に螺着させた周壁５の上端縁より頂壁６を延設するとともに、前記頂壁裏面より収納筒部７を垂設した蓋部材２と、前記収納筒部の下端開口を閉塞してその下端部に嵌合することにより前記収納筒部内に収納室Ｒを画成した底蓋13を、前記口部内に嵌合させ且つ内周に前記収納筒部を摺動可能に嵌合させた支持筒部14の下端部に、ヒンジ15を介して開閉可能に連結した底蓋部材３とを備え、前記蓋部材２の螺動上昇により前記底蓋が前記収納筒部から外れて前記収納室が開口する如く構成したキャップであって、前記底蓋部材に対する前記蓋部材の螺動上昇幅を規制する上昇規制手段を設けるとともに、該上昇規制手段で規制する前記蓋部材の最上昇時に前記底蓋の嵌合が外れて前記収納室が開口する如く構成したことを特徴とするキャップ。
【請求項２】
前記底蓋部材３が、前記口部４内の上端部に上部の大径部14a 外周を密嵌させ且つ下部の小径部14b 内周に前記収納筒部７を摺動可能に嵌合させるとともに、下端部にヒンジ15を介して開閉可能に前記底蓋13を連結した支持筒部14を備え、前記上昇規制手段が、前記支持筒部14上端縁より前記口部４上に延設したフランジ16上面より筒部18を立設してその外周上部に周設した係止突条17と、前記キャップ周壁５の前記口部上方突出部分内周に突設した係合突条８とで構成してなる請求項１記載のキャップ。
【請求項３】
前記周壁５下端部に易切断性の破断部９を介して垂設した封緘リング10を前記容器Ｂの口部４外周に乗り越え係合させてなる請求項１又は請求項２のいずれかに記載のキャップ。
【発明の詳細な説明】
【技術分野】
【０００１】
本発明はキャップに関する。
【背景技術】
【０００２】
ボトルの口部に取り付けることにより、ボトル内の液を各種の飲料にすることができるボトルのキャップが提案されている。（例えば、特許文献１参照）
【０００３】
上記キャップは、ペットボトル等のドリンク用の口部に着脱自在で、ボトルの口部の内側へ挿入する底蓋付きの内筒部を有して、水と混ぜ合わせることによりジュース，お茶，コーヒー等の各種飲料になる飲料の素をその内筒部の中に詰め込んだキャップ本体と、該キャップ本体に対し螺動下降可能に組み付けられて、キャップ本体に対して螺動下降させることによりキャップ本体における底蓋を開いて内筒部に詰め込んだ飲料の素を内筒部からボトル内へ落下可能にしたキャップ副体とから構成している。
【特許文献１】特開２００４−８３０２２号公報
【発明の開示】
【発明が解決しようとする課題】
【０００４】
上記キャップは、使用時にキャップ内の収納物をボトル内収納物と混合することができる優れたものであるが、上記した如くキャップ副体を螺動下降させてその下端の円筒状の爪片により底蓋周囲の薄肉部を切断して底蓋を開く如く構成されているため、通常はキャップ副体内の収納物の重さで底蓋が開く如く作用するが、時に切断された底蓋部分周囲に食い込んだ爪片が切断された底蓋部分と嵌合してしまい底蓋が開かなくなる虞れがあった。
【０００５】
本発明は上記した点に鑑みてなされたもので、確実に底蓋を開くことができてキャップ内収納物を確実にボトル内へ落下させることができ、また、収納物を混合させた後の攪拌を充分に漏れなく行うことができ、更に、その開封操作も簡単であるキャップを提案する。また、装着した容器の未使用を表現できる利点を兼ね備えたキャップを提案する。
【課題を解決するための手段】
【０００６】
第１の手段として、容器Ｂの口部４外周に螺着させた周壁５の上端縁より頂壁６を延設するとともに、前記頂壁裏面より収納筒部７を垂設した蓋部材２と、前記収納筒部の下端開口を閉塞してその下端部に嵌合することにより前記収納筒部内に収納室Ｒを画成した底蓋13を、前記口部内に嵌合させ且つ内周に前記収納筒部を摺動可能に嵌合させた支持筒部14の下端部に、ヒンジ15を介して開閉可能に連結した底蓋部材３とを備え、前記蓋部材２の螺動上昇により前記底蓋が前記収納筒部から外れて前記収納室が開口する如く構成したキャップであって、前記底蓋部材に対する前記蓋部材の螺動上昇幅を規制する上昇規制手段を設けるとともに、該上昇規制手段で規制する前記蓋部材の最上昇時に前記底蓋の嵌合が外れて前記収納室が開口する如く構成した。
【０００７】
第２の手段として、前記第１の手段に於いて、前記底蓋部材３が、前記口部４内の上端部に上部の大径部14a 外周を密嵌させ且つ下部の小径部14b 内周に前記収納筒部７を摺動可能に嵌合させるとともに、下端部にヒンジ15を介して開閉可能に前記底蓋13を連結した支持筒部14を備え、前記上昇規制手段が、前記支持筒部14上端縁より前記口部４上に延設したフランジ16上面より筒部18を立設してその外周上部に周設した係止突条17と、前記キャップ周壁５の前記口部上方突出部分内周に突設した係合突条８とで構成した。
【０００８】
第３の手段として、前記第１の手段又は第２の手段に於いて、前記周壁５下端部に易切断性の破断部９を介して垂設した封緘リング10を前記容器Ｂの口部４外周に乗り越え係合させた。
【発明の効果】
【０００９】
本発明のキャップは、蓋部材２の螺動上昇により底蓋13が外れて収納室Ｒが開口する如く構成したので、従来品の如く切断された底蓋がカッター刃に嵌合して収納室の開口が充分行われないというような不都合はなく、確実に収納室を開口し、収納物が容器内に落下する。また、底蓋部材３に対する蓋部材２の螺動上昇幅を規制する上昇規制手段を設けるとともに、該上昇規制手段で規制する蓋部材２の最上昇時に底蓋13の嵌合が外れて収納室Ｒが開口するため、底蓋13の外れるまでの所定の上昇が感触で判断でき、その上昇幅は必要最小限に押さえることができるため、収納筒部７と支持筒部14の摺動範囲で底蓋13の外れを生じさせることができ、その結果、各収納物の混合物が密閉状態で維持できてそのまま容器を振れば充分な攪拌を行えるものであり、混合物が充分な攪拌を必要なものにとっては極めて有効である。また、従前通り装着した容器Ｂ内の収納物と収納室Ｒ内の収納物とを使用直前まで分離した状態で保管できる。
【００１０】
また、前記口部４内の上端部に上部の大径部14a 外周を密嵌させ且つ下部の小径部14b 内周に前記収納筒部７を摺動可能に嵌合させるとともに、下端部にヒンジ15を介して開閉可能に底蓋13を連結した支持筒部14を備えた底蓋部材３を採用し、また、前記支持筒部14上端縁より前記口部４上に延設したフランジ16上面より筒部18を立設してその外周上部に周設した係止突条17と、前記キャップ周壁５の前記口部上方突出部分内周に突設した係合突条８とで上昇規制手段を構成したものにあっては、構造が簡潔であり、また、各収納物混合後の取り外しが、蓋部材２を強制的に螺脱させることにより行えるという使用上の利便性を兼ね備えている。
【００１１】
更に、封緘リング10を設けたものにあっては、装着した容器Ｂの未使用を表現でき、悪戯の防止を図ることができる。
【発明を実施するための最良の形態】
【００１２】
以下、本発明の実施例の形態を図面を参照して説明する。
【００１３】
図１から図３は本発明キャップの一例を示し、キャップＡは、蓋部材２と、底蓋部材３とを備えており、両者はそれぞれ合成樹脂により形成されている。
【００１４】
蓋部材２は、容器Ｂの口部４外周に螺合させた周壁５の上端部より内方へ頂壁６を延設し、頂壁６裏面から口部４内に収納筒部７を垂設している。周壁５は口部４外周に螺着した大径部分より口部４上方に突出した上端部を小径に形成し、その小径部分の内周下部に後述する上昇規制手段を構成する係合突条８を突周設している。また、周壁５下端部に易切断性の破断部９を介して封緘リング10を垂設し、該封緘リング10内周に突周設した係合突条11を容器口部４外周に突周設した係止突条12の下面に乗り越え係合させている。
【００１５】
底蓋部材３は、前記収納筒部７の下端開口を閉塞して収納筒部７下端に嵌合させることにより収納筒部７内部に収納室Ｒを画成した底蓋13を、容器口部４内に嵌合させ且つ内周に収納筒部７を摺動可能に嵌合させた支持筒部14の下端部に、ヒンジ15を介して開閉可能に連結している。収納筒部７は上部を大径に下部を小径に構成し、上部の大径部14a 外周を口部４内周上部に密嵌しており、下部の小径部14b 内周に収納筒部７外周下部を摺動可能に嵌合させている。また、収納筒部７の上端より延設したフランジ16を口部４上面に延設し、更にこのフランジ16上に、外周上部に係止突条17を周設した筒部18を立設している。底蓋13は上面周縁部に前記収納筒部７内周下端部に嵌合する嵌合筒部19を立設しており、嵌合筒部19外方の周縁部上面を収納筒部７下面に当接させて嵌合している。
【００１６】
本発明では、底蓋部材３に対する蓋部材２の螺動上昇幅を規制する上昇規制手段を設けている。そしてこの上昇規制手段で規制する蓋部材２の最上昇時に前記底蓋13の嵌合が外れて収納室Ｒ下端が開口する如く構成している。図示例では、上記筒部18の係止突条17及びキャップ周壁５の係合突条８とで上昇規制手段を構成している。
【００１７】
上記の如く構成したキャップＡを使用する場合に付いて説明する。まず、内部に収納物を充填した容器Ｂに、収納室Ｒ内に収納物を充填したキャップＡを螺着させる。収納室Ｒへの収納物の充填は種々の方法が採用できるが、例えば、倒立させた蓋部材２の収納筒部７内に収納物を挿入した後、底蓋13を収納筒部７に嵌合しつつ底蓋部材３を装着することにより行える。キャップＡの口部４への螺着の際には封緘リング10の係合突条11が容器口部４の係止突条12を強制的に乗り越えてその下面に係合する。容器Ｂ内及びキャップＡの収納室Ｒ内に充填する収納物としては液状のもの或いは粉末，顆粒等の固形状のもの等を収納できる。
【００１８】
容器を使用する場合には、図１の状態から蓋部材２を螺動上昇させる。最初易切断性の破断部９が切断された後、蓋部材２の螺動上昇はその係合突条８が筒部18の係止突条17下面に到達した時点で通常の螺脱操作での上昇が停止する。この際、蓋部材２の上昇に伴う収納筒部７の上昇により嵌合筒部19の収納筒部７への嵌合が外れ、図２に示す如く、収納室Ｒの下端が開口し、収納室Ｒ内の収納物が容器Ｂ内に落下し、両者が混合される。また、この時点では収納筒部７が支持筒部14に密に嵌合されているため、容器Ｂ内の液密性は充分に保たれており、容器Ｂを振って混合物を充分攪拌することができる。混合後は、蓋部材２を容器Ｂの口部４から強制的に螺脱させれば、図３に示す如く、切断されて封緘リング10が容器口部４に残る以外は全て取り除くことができ、混合収納物を使用できる。
【図面の簡単な説明】
【００１９】
【図１】本発明キャップの半断面図である。（実施例１）
【図２】本発明キャップの底蓋を開封した状態の要部半断面図である。（実施例１）
【図３】本発明キャップを開封後取り除いた状態の要部半断面である。（実施例１）
【符号の説明】
【００２０】
２…蓋部材，３…底蓋部材，４…口部，５…周壁，６…頂壁，７…収納筒部，
８…係合突条，９…易切断性の破断部，10…封緘リング，13…底蓋，14…支持筒部，    14a …大径部，14b …小径部，15…ヒンジ，16…フランジ，17…係止突条，
18…操作筒，Ａ…キャップ，Ｂ…容器，Ｒ…収納室
【図１】
2006151449.tif 000003
【図２】
2006151449.tif 000004
【図３】
2006151449.tif 000005